(57)【要約】【課題】車両に搭載する車載器は小型のままで、しかも多くのＤＳＲＣ応用サービスに対応できるようにする。【解決手段】ＤＳＲＣ通信を行う装置本体１５の他に、大型の液晶表示部１７と操作部１８を有する表示操作リモコン１６を備えているので、ドライブスルーショップなどのＤＳＲＣ応用サービスにおいて、品物を選ぶ、品物を買う、選択を修正する、課金を確認するなどの複雑な表示や操作を、表示操作リモコン１６から容易に行うことができる。このような表示操作リモコン１６を使用しない場合は、路側装置のとの間の通信内容は、本体表示操作部１２に表示される。【選択図】  図１
2004240568.tif 000002
【特許請求の範囲】
【請求項１】
路側装置との間でマイクロ波を使用した通信を行う狭域通信手段と、前記狭域通信手段に接続された外部機器接続手段と、前記外部機器接続手段に接続可能な外部表示操作手段とを備えた車載用路車間通信装置。
【請求項２】
前記狭域通信手段に接続された本体表示操作手段を備えたことを特徴とする請求項１記載の車載用路車間通信装置。
【発明の詳細な説明】
【０００１】
【発明の属する技術分野】
本発明は、マイクロ波を使用する車載用路車間通信装置に関する。
【０００２】
【従来の技術】
従来、マイクロ波を使用した車載用路車間通信の例として、例えば高速道路（有料道路を含む）の料金所に設置された路側装置と車両に搭載された車載装置との間の通信により通行料金の精算を行う自動料金収受（Ｅｌｅｃｔｒｏｎｉｃ  Ｔｏｌｌ  Ｃｏｌｌｅｃｔｉｏｎ、以下ＥＴＣという。）システムが知られている。このシステムは、その通信領域が約４ｍ程度の範囲に限定されるため、ＤＳＲＣ（Ｄｅｄｉｃａｔｅｄ  Ｓｈｏｒｔ  Ｒａｎｇｅ  Ｃｏｍｍｕｎｉｃａｔｉｏｎ：狭域通信）システムと言われている。また、現行のＥＴＣシステムでは、ＩＣカードを用いて料金の決済が行われており（例えば、特許文献１参照）、このようなＩＣカードを利用してサービスエリアの売店やガソリンスタンドにおける料金決済を、ＥＴＣシステムと同じ５．８ＧＨｚ帯の電波を使用して行うＤＳＲＣ応用システムも提案されている。
【０００３】
図２はＤＳＲＣシステムにおけるＥＴＣ車載器の概要を示している。ＥＴＣ車載器は、ＥＴＣ通信制御部１と表示操作部２とを備えている。ＥＴＣ通信制御部１は、５．８ＧＨｚ帯の電波を使用して、料金所の路側装置と課金情報などのデータのやり取りを行う。また表示操作部２は、料金の表示や履歴情報、車載器の状態表示、エラー情報の表示などを行う。この表示は、一般に、一行１０文字程度の液晶による表示であり、表示の代わりに音声による案内もある。操作入力のためのボタンは、一般には数個で対応できるようになっている。ＥＴＣ車載器では、その用途は料金所での課金に限定されているためその機能も限られ、このような構成で十分である。なお、このＥＴＣ車載器をナビゲーションシステムと組み合わせて、ナビゲーションシステムのディスプレイに料金等を表示できるように構成したものもある。
【０００４】
【特許文献１】
特開平８−６３６２５号公報
【０００５】
【発明が解決しようとする課題】
しかしながら、上記従来のＥＴＣ車載器のような構成では、料金所以外の無線による通信や課金システムを活用するＤＳＲＣ応用システムに適用する場合には十分に対応できないという問題があった。例えば、表示操作部が小さいため、多くの文字表示や操作に対応できず、多彩なサービスに対応することができない。このため、表示操作部を大きくすることも考えられるが、車載装置の小型化という要望に対しては障害となる。
【０００６】
本発明は、このような従来の問題を解決するもので、車両に搭載する車載器は小型のままで、しかも多くのＤＳＲＣ応用サービスに対応することのできる車載用路車間通信装置を提供することを目的とする。
【０００７】
【課題を解決するための手段】
上記問題を解決するために、本発明の車載用路車間通信装置は、路側装置との間でマイクロ波を使用した通信を行う狭域通信手段と、前記狭域通信手段に接続された外部機器接続手段と、前記外部機器接続手段に接続可能な外部表示操作手段とを備えたものである。この構成により、外部表示操作手段に比較的大きな画面と比較的多くの操作ボタンを配置することができ、車載用路車間通信装置本体の小型化を維持したまま、多彩なＤＳＲＣ応用サービスに対応することができる。
【０００８】
また、本発明の車載用路車間通信装置は、前記狭域通信手段に接続された本体表示操作手段を備えたものである。この構成により、外部操作表示手段を利用しない場合は、比較的小さな画面と少ない操作ボタンによる本体表示操作手段のみで対応することができる。
【０００９】
【発明の実施の形態】
以下、本発明の実施の形態について図面を参照して説明する。図１は本発明の実施の形態における車載用路車間通信装置の概略構成を示している。この車載用路車間通信装置は、路側装置との間で５．８ＧＨｚの電波を送受するアンテナ１０と、狭域通信手段であるＤＳＲＣ通信制御部１１と、ＤＳＲＣ通信制御部１１に接続された本体表示操作手段である本体表示操作部１２と、ＤＳＲＣ通信制御部１１に接続された外部機器接続手段であり、赤外線通信制御部（図示せず）を有するリモコン接続部１３と、ＤＳＲＣ通信制御部１１に接続されて、ＩＣカード１９が挿着されるＩＣカード挿着部１４とで装置本体１５を構成している。装置本体１５のリモコン接続部１３は、赤外線通信制御部（図示せず）を有し、外部表示操作部である表示操作リモコン１６と互いの送受光部１３ａおよび１６ａを介して赤外線通信が可能である。内部に赤外線通信制御部を有する表示操作リモコン１６は、さらに外側は液晶表示部１７および操作部１８を有する。本体装置１５の本体表示操作部１２は、従来例と同様に、一行１０文字程度の液晶による表示部と操作入力のための数個のボタンを備えている。これに対し、表示操作リモコンは、比較的大型の液晶表示部１７と、１２個程度の操作ボタンを備えている。
【００１０】
以上のように構成された車載用路車間通信装置について、その動作を路側装置が設けられたドライブスルーショップなどのショップにおける料金決済の場合について説明する。利用者が車両をショップの受付窓口で停車させ、ＩＣカード挿着部１４にＩＣカード１９を挿着すると、ＩＣカード１９から必要なデータが読み出され、そのデータがＤＳＲＣ通信制御部１１からアンテナ１０を通じてショップの路側装置に送信される。路側装置は、受信したデータをもとに認証を行い、認証が成立した場合には、利用者の車載装置にメニュー情報を送信する。このメニュー情報を受信したＤＳＲＣ通信制御部１１は、リモコン接続部１３を通じて表示操作リモコン１６にそのメニュー情報を送信し、液晶表示部１７に表示する。利用者は、液晶表示部１７のメニュー情報から希望する品物を操作部１８のボタンを押して選択した後、送信ボタンを押すと、その選択情報がショップの路側装置に送信され、ショップではその品物を用意するとともに、その品物の代金などの料金情報を車載装置に送信する。この料金情報が装置本体１５側で受信されると、料金情報は、ＤＳＲＣ通信制御部１１からリモコン接続部１３を経由して表示操作リモコン１６に送信され、液晶表示部１７に表示される。利用者が表示操作リモコン１６の操作部１８から確認ボタンを押すと、ＤＳＲＣ通信制御部１１がＩＣカード挿着１４に挿着されたＩＣカード１９からその料金を引き落とし、残高を書き換え、必要な場合は領収書を発行する。
【００１１】
このように、本実施の形態によれば、ＤＳＲＣ通信を行う装置本体１５の他に、大型の液晶表示部１７と操作部１８を有する表示操作リモコン１６を備えているので、ドライブスルーショップなどのサービスにおいて、品物を選ぶ、品物を買う、選択を修正する、課金を確認するなどの複雑な表示や操作を、表示操作リモコン１６から容易に行うことができる。このような表示操作リモコン１６を使用しない場合は、路側装置のとの間の通信内容は、本体表示操作部１２に表示される。
【００１２】
なお、本実施の形態において、ＤＳＲＣ応用サービスに応じて、表示操作リモコン１６をいろいろな構成、例えば表示の行数や桁数、カラーにするかどうか、静止画か動画までの対応か、操作のボタン数やジョイスティックダイヤル、スクロールボタンなどを含めるかどうかにより、種々に変更することができる。
【００１３】
また、装置本体１５と表示操作リモコン１６との間の通信方式は、上記のような赤外線によるＩＲＤＡ方式以外にも、電波によるブルートゥース方式、ＵＳＢなどのワイヤードシリアル方式でもよく、それぞれシステムの要求条件により選択することができる。
【００１４】
また、表示操作リモコン１６にＩＣカード挿着部を設けて、上述した認証作業を表示操作リモコン１６を用いて行えるようにしてもよい。このように、表示操作リモコン１６にＩＣカード挿着部を設けることによって、複数種類のＩＣカードを利用できることになる。
【００１５】
【発明の効果】
以上説明したように、本発明の車載用路側通信装置は、路側装置との間でマイクロ波を使用した通信を行う狭域通信手段と、狭域通信手段に接続された外部機器接続手段と、外部機器接続手段に接続可能な外部表示操作手段とを備えたものであり、外部表示操作手段に比較的大きな画面と比較的多くの操作ボタンを配置することができるので、車載用路車間通信装置本体の小型化を維持したまま、多彩なＤＳＲＣ応用サービスに対応することができる。
【図面の簡単な説明】
【図１】本発明の実施の形態における車載用路車間通信装置の概略構成を示すブロック図
【図２】従来例における車載用路車間通信装置の概略構成を示すブロック図
【符号の説明】
１０  アンテナ
１１  ＤＳＲＣ通信制御部
１２  本体表示操作部
１３  リモコン接続部
１４  ＩＣカード挿着部
１５  装置本体
１６  表示操作リモコン
１７  液晶表示部
１８  操作部
１９  ＩＣカード
【図１】
2004240568.tif 000003
【図２】
2004240568.tif 000004